(57)【特許請求の範囲】
【請求項１】
容器と、制限要素と、磁性要素と磁化要素の少なくとも一つと、を備えた装置であり、
前記容器が塗布する物質を収容し、
また前記容器に前記物質に混合される磁化粒子から成る複数の粒子を収容し、
前記制限要素が前記物質に混合される前記磁化粒子の少なくとも一部が、前記装置の一部分から外に出るのを制限するように構成され、
磁性要素と磁化要素の少なくとも一つが、磁場を生成して容器内の粒子と相互に作用するように構成され、
前記装置が、物質を分配する通路を備え、磁化粒子の寸法が前記通路の寸法よりも大きく、磁化粒子を容器から外に出さないようにした、
ことを特徴とする装置。
【請求項２】
前記制限要素（１９；６９；８０；９５；１１０；３５２）が、前記物質を通過させることを特徴とする、請求項１に記載の装置。
【請求項３】
前記制限要素（１９；６９；８０；９０；９５；９６；１１０；３５２）は、スクリーン、有孔壁、発泡体、焼結要素、フェルト、不織布、織布、ブラシ、および前記要素のうちの少なくとも二つを重ね合わせたものから選択される、少なくとも一種類の部材から成ることを特徴とする請求項２に記載の装置。
【請求項４】
前記制限要素が、前記少なくとも二つの部材の重ね合わせたものから成ることを特徴とする請求項３に記載の装置。
【請求項５】
前記制限要素とは別個の塗布要素（３０；６５；１０３；１３１）を有すること、を特徴とする請求項１〜４のいずれか一項に記載の装置。
【請求項６】
前記塗布要素（３０；６５；１０３；１３）が磁気を帯びている、または磁性であることを特徴とする、請求項５に記載の装置。
【請求項７】
前記塗布要素（６５）が固形物の磁石（９８）を収容していることを特徴とする、請求項６に記載の装置。
【請求項８】
前記塗布要素が可撓性の磁石を収容することを特徴とする、請求項７に記載の装置。
【請求項９】
前記塗布要素が分散させた磁性粒子（４２）または分散させた磁化粒子を含むことを特徴とする、請求項６に記載の装置。
【請求項１０】
前記塗布要素が、前記容器の閉鎖部材（６６）をさらに構成する柄要素に固定されていることを特徴とする、請求項６〜９のいずれか一項に記載の装置。
【請求項１１】
装置が閉鎖部材を備え、磁石（９８）が閉鎖部材に固定されていることを特徴とする、請求項７、８、または１０のいずれか一項に記載の装置。
【請求項１２】
前記制限要素が磁気を帯びている、または磁性であることを特徴とする、請求項１〜１１のいずれか一項に記載の装置。
【請求項１３】
前記制限要素が磁気を帯びており、前記塗布要素が非磁性であることを特徴とする請求項５に記載の装置。
【請求項１４】
前記制限要素が平らなスクリーン（１９）であり、前記塗布要素がパウダーパフ（３０）であることを特徴とする、請求項５〜９および請求項１２〜１３のいずれか一項に記載の装置。
【請求項１５】
前記制限要素（６９）が、前記塗布要素（６５）に向かってくぼんだ表面を有することを特徴とする請求項５に記載の装置。
【請求項１６】
前記制限要素（１１０）が手袋の指の形になっていることを特徴とする、少なくとも請求項５を含む、請求項１から１３のいずれか一項に記載の装置。
【請求項１７】
前記制限要素が発泡体ブロック（９５；１４２）から成ることを特徴とする、請求項１〜１６のいずれか一項に記載の装置。
【請求項１８】
塗布要素（３５２）が、前記制限要素の全部または一部から構成されることを特徴とする、請求項１〜４のいずれか一項に記載の装置。
【請求項１９】
前記塗布要素（３５２）が、前記容器（３５１）に恒久的に取り付けられることを特徴とする、請求項１８に記載の装置。
【請求項２０】
前記容器の閉鎖部材（３５３）を具備することを特徴とする、請求項１９に記載の装置。
【請求項２１】
前記閉鎖部材（３５３）が、磁気を帯びていることを特徴とする、請求項２０に記載の装置。
【請求項２２】
前記塗布要素（３５２）が、磁気を帯びていることを特徴とする、請求項１９または請求項２０に記載の装置。
【請求項２３】
前記塗布要素の内部に磁性粒子（４２）が分散されていることを特徴とする、請求項２２に記載の装置。
【請求項２４】
前記制限要素（２０４；３０８）が回転式であることを特徴とする、請求項１に記載の装置。
【請求項２５】
前記制限要素が、ユーザ塗布用の外側領域と物質充填用の内側領域とを有することを特徴とする、請求項２４に記載の装置。
【請求項２６】
前記制限要素（３０８）と別個の塗布要素（３０５）を具備することを特徴とする、請求項２４に記載の装置。
【請求項２７】
前記制限要素（３０８）は、回転中に前記容器から前記塗布要素に、前記物質を移動させるように配置されることを特徴とする、請求項２６に記載の装置。
【請求項２８】
前記制限要素が磁気を帯びていることを特徴とする、請求項２４〜２７のいずれか一項に記載の装置。
【請求項２９】
装置が、発泡体、焼結要素、フェルト、不織布、剛毛、織布、およびフロックという材料の中の少なくとも一つから成る前記塗布要素を備えることを特徴とする、請求項１〜２８のいずれか一項に記載の装置。
【請求項３０】
収納位置にあるときに、前記容器から磁化粒子が出ないようにする磁場を生成するのに適した、着脱可能な磁石（５０）を具備することを特徴とする、請求項１〜２９のいずれか一項に記載の装置。
【請求項３１】
前記着脱可能な磁石が、前記容器内に分散している磁化粒子に作用する磁場を生成する、唯一の磁性要素であることを特徴とする、請求項３０に記載の装置。
【請求項３２】
前記着脱可能な磁石（５０）が、前記容器内に分散している磁化粒子に作用する前記磁場を生成するのに適した、前記磁性要素と別個のものであることを特徴とする、請求項３０に記載の装置。
【請求項３３】
前記着脱可能な磁石（５０）によって生成される磁場が、前記磁性要素によって生成される磁場よりも強いことを特徴とする、請求項３２に記載の装置。
【請求項３４】
前記着脱可能な磁石（５０）が、前記容器の底壁の外面に固定するのに適している、請求項３０〜３３のいずれか一項に記載の装置。
【請求項３５】
前記容器が、化粧品またはケア用品でコーティングされた磁化粒子を収容することを特徴とする請求項１〜３４のいずれか一項に記載の装置。
【請求項３６】
前記容器が、前記物質に混合される磁化粒子を収容することを特徴とする、請求項１〜３５のいずれか一項に記載の装置。
【請求項３７】
前記物質は、前記物質が前記磁化粒子に付着するのを促進する結合剤を含むことを特徴とする、請求項３６に記載の装置。
【請求項３８】
前記磁化粒子は、表面に磁性材料のグレイン（３６１）を固着させた非磁性体を含むことを特徴とする、請求項３６〜３７のいずれか一項に記載の装置。
【請求項３９】
前記非磁性体が、繊維、木質繊維およびビーズ、中空のガラスビーズから選択されることを特徴とする、請求項３８に記載の装置。
【請求項４０】
前記物質が粉末であることを特徴とする、請求項１〜３９のいずれか一項に記載の装置。
【請求項４１】
前記物質が液体であることを特徴とする、請求項１〜３９のいずれか一項に記載の装置。
【請求項４２】
前記容器が変形不可能であることを特徴とする、請求項１〜４１のいずれか一項に記載の装置。
【請求項４３】
磁場によって物質を動かして、塗布要素への物質の充填を促進することを特徴とする、請求項１〜４２のいずれか一項による装置の塗布要素を物質で充填する方法。
【請求項４４】
制限要素が、発泡体（９５）またはスクリーン（８０）によって覆われる有孔壁（９０；９６）から成ることを特徴とする請求項４に記載の装置。
【発明の詳細な説明】
【０００１】
【発明の属する技術分野】
本発明は、塗布される物質を収容する容器と、容器からの物質の取り出しを制限するのに適した制限要素とを備える、特に化粧品に使用する装置に関するものである。
【０００２】
【従来の技術】
粉末が充填されたカップで構成された容器と、スクリーンで構成された制限要素と、物質をスクリーンから取り出して、化粧する表面に塗布するパウダーパフとを収容するケースは公知である。カップは、物質を押してスクリーンに近づけることができるように軟質の底部を有することがある。そのような圧力によって物質が飛散したり台無しになったりすることがあり、好ましくない。
【０００３】
粉末が入っている容器は、発泡体ブロックが設けられた開口部を有し、この発泡体ブロックを通して容器に挿入されるアプリケータによって、粉末が取り出されることも公知である。
【０００４】
【発明が解決しようとする課題】
特に物質は容器の底に集積しがちであるため、どんな物質でも往々にして物質を取り出しにくいそのような装置から物質を取り出しやすくする必要がある。
【０００５】
前述とは別に、ケースを開けたとき、または塗布のために物質が取り出されているときに物質が漏れる危険を減少させる必要もある。
【０００６】
【課題を解決する手段】
本発明は、前述の必要性の少なくとも一つを、
容器を備え、
容器に物質が収容され、
容器に、該物質に混合される磁化粒子及び、該物質でコーティングされた磁化粒子のうちの少なくとも一つから成る複数の粒子が収容され、
該物質と、該物質に混合される磁化粒子と該物質でコーティングされた磁化粒子のうちの前記少なくとも一つの少なくとも一部分が、装置の一部分から外に出るのを制限するように構成された制限要素を備え、
磁場を生成して容器内の粒子と相互作用するように構成された、磁性要素または磁化要素の少なくとも一つを備える、
特に化粧品に使用する新規装置によって満足するものである。
【０００７】
本発明は、
容器を備え、
容器に物質が収容され、
容器に、該物質に混合される磁化粒子及び、該物質でコーティングされた磁化粒子のうちの少なくとも一つから成る、複数の粒子が収容され、
該物質に混合される磁化粒子及び、該物質でコーティングされた磁化粒子のうちの少なくとも一つの少なくとも一部分を吸着するように構成された塗布要素と、
を備える装置も提供する。
【０００８】
「磁化粒子」という用語は、磁場の作用に相当敏感な粒子を意味するために使用される。そのような粒子は残留または永久磁化を示す必要はないが、逆にそのような磁化を示してもよい。
【０００９】
磁場は、制限要素に向かう、または通り抜ける物質の移動を促進するため生成することができる。そのような環境下では、ユーザに塗布される物質は、必ずしも磁場の作用に敏感である必要はなく、磁化粒子と混合されるだけでよい場合もある。それから、要望どおりに物質を移動するために使用される磁場の影響下で磁化粒子が動く。あるいは、物質自体が磁気的性質を有していてもよい。
【００１０】
変形例において、または追えて、磁場は、装置の一部分への物質の保持を促進するように発生させることもでき、これにより、塗布時すなわち容器が開いているときに物質が飛散したり漏れたり（物質の性質による）しないようになる。そのような環境下で、塗布用の物質は磁場の作用に敏感であり、磁化粒子を混合させる。前述の粒子は、物質の中に分散され、物質に密着させられた磁気微粒子にすることもできる。例として、グレインは、物質でコーティングされた磁性材料のグレインであってもよい。磁気塗布要素と、塗布要素の磁場に作用に敏感な物質を使用することにより、塗布要素が容器から処理される表面に向かって移動される間、塗布要素表面における物質の保持を向上させる。これにより、物質が飛散したり落ちたりする危険が少なくなる。
【００１１】
磁場は、磁気塗布要素、または例えば物質の運搬中は所定の位置に押し込まれ、使用時には外される、着脱可能な磁石によって生成できる。
【００１２】
制限要素は、物質を通過させる要素であってもよい。通過要素は、例えば、スクリーン、有孔壁、発泡体、焼結要素、フエルト、不織布、織布、ブラシ、および、例えば前記部材のうちの二つを重ね合わせたもの（例えば、発泡体またはスクリーンに裏打ちされた有孔壁）から選択される少なくとも一つの部材から成り得る。
【００１３】
装置は、制限要素から分離された塗布要素を有していてもよい。
【００１４】
装置は、さまざまな方法で磁化できる磁気または磁性アプリケータを有していてもよい。
【００１５】
塗布要素が固形物の磁石を収容していてもよく、例えば、この磁石は可撓性であってもよい。
【００１６】
あるいは塗布要素は、分散させた磁気または磁化粒子を含んでいてもよい。
【００１７】
塗布要素の磁石は、物質を塗布要素の所定の領域に優先的に充填させるように配置されていてもよい。例えば、中央の磁石により、塗布要素上の物質が中央に多く分布するように促進することもできる。
【００１８】
特定の実施形態において、装置は、容器の閉鎖部材をも構成している柄要素に固定された塗布要素を有する。適切な場合には、この閉鎖要素に磁石が固定されてもよい。
【００１９】
装置は、磁気または磁性制限要素を有していてもよい。
【００２０】
特定の実施形態において、装置は磁気制限要素と非磁気塗布要素とを有する。
【００２１】
制限要素は、多くの方法で作ることができる。
【００２２】
例として、制限要素が平らなスクリーンで、塗布要素がパウダーパフであってもよい。
【００２３】
制限要素は、塗布要素に向かってくぼんでいる表面を有していてもよいし、手袋の指の形をしていてもよい。
【００２４】
制限要素は発泡体ブロックを備えていてもよい。
【００２５】
塗布要素が制限要素の全部または一部を構成していてもよい。その場合、塗布要素が容器に恒久的に取り付けられ得る。
【００２６】
装置は、磁気を帯びうる容器閉鎖部材を有していてもよい。
【００２７】
装置は、内部に磁気または磁化粒子が分散していてもよい磁気塗布要素を有することもできる。
【００２８】
制限要素は回転式であってもよい。
【００２９】
特定の実施形態において、装置は、ユーザ塗布用の外側領域と物質充填用の内側領域を有する制限要素を有する。装置は、制限要素から分離された塗布要素を有し得る。
【００３０】
制限要素は、制限要素が回転している間に、容器から塗布要素に物質を移動させるように配置され得る。
【００３１】
装置は、磁気または磁性制限要素を有し得る。
【００３２】
塗布要素は、限定的ではないが、発泡体、焼結要素、フエルト、不織布、剛毛、織布、およびフロックなどの材料の中から一つ以上から成り得る。
【００３３】
装置は、収納位置にあるときに、容器から磁化粒子が出ないようにする磁場を生成するのに適した着脱可能な磁石を含んでいてもよい。着脱可能な磁石は、容器内に分散した磁化粒子に作用する、磁場を生成するのに適した唯一の磁性要素であってもよい。装置は、容器内に分散している磁化粒子に作用し、前記磁場を生成するのに適した前記磁性要素とは、別個の着脱可能な磁石を具備し得る。
【００３４】
前記着脱可能な磁石によって生成される磁場の強度は、前記磁性要素によって生成される磁場の強度より大きくてもよい。着脱可能な磁石は、容器の底壁の外面に固定するのに適し得る。
【００３５】
容器は、化粧品または手入れ用品でコーティングされた磁化粒子を収容してもよい。容器は、物質中に混合された磁化粒子を収容し得る。
【００３６】
制限要素は物質を給送する通路を有していてもよく、磁化粒子のサイズは、磁化粒子が容器から出ないように、通路寸法よりも大きい。
【００３７】
物質は、物質が磁化粒子に付着するのを促進する結合剤を含んでいてもよい。
【００３８】
磁化粒子は、表面に磁性材料のグレイン固着させた非磁性体を含んでいてもよい。これらの非磁性体は、繊維（特に木質繊維）およびビーズ（特に中空のガラスビーズ）から選択され得る。
【００３９】
装置に含まれる物質は、粉末であっても液体であってもよい。
【００４０】
物質は、変形可能でない容器、特に、容器を押さなくても物質が出せるように硬質の側面と底面を有する容器、に収容され得る。
【００４１】
本発明は、塗布要素への物質の充填を向上させるために磁場によって物質を動かすことを特徴とする、物質を塗布要素に充填させる方法も提供する。場合によっては、容器を振らずに物質が取り出せてもよい。
【００４２】
例として、物質は、白粉、頬紅、アイシャドウ、アイコンターシャドウ、アイライナー、眉墨の成分、アイライナーの成分でありうる。
【００４３】
物質は、液体、特に磁性流体または磁性流体を含有するエマルジョンのであってもよい。
【００４４】
本発明は、ユーザに塗布される物質と物質が出て行くのを制限するのに適した、制限要素とを収容する容器において、前記装置は、容器が物質と混合されたおよび／または物質でコーティングされた磁化粒子を収容し、装置が、容器内の前記分散粒子に作用する磁場を生成するのに適した、少なくとも一つの磁性要素を具備することを特徴とする容器を提供するものでもある。
【００４５】
本発明は、以下に記載の本発明の非制限的な実施形態の詳細な説明を読み、この説明の一部を形成する添付の図面を精査することによって、理解が深まるであろう。
【００４６】
【実施例】
図１に、本体１１と、本体１１に蝶番式に連結されている蓋１２とを備えた化粧ケース１０を示す。
【００４７】
本体１１は、ケースの見た目に貢献する突条１３が外側に設けられ、下側要素１４ａと上側要素１４ｂを一緒に組み立てることによって作られるカップ１４を内側に収容する。
【００４８】
カップ１４は、化粧される面に塗布するための物質Ｐを含む。カップ１４は、本発明の意味の容器を構成する下側要素１４ａは、底壁１６と、突条２１に囲まれた円筒状の側壁１７とを有する。上側要素１４ｂは、パウダーパフ３０を入れる支持枠を画定する環状壁１５を有する。環状壁１５は、突条２１の基部の半径方向外側に形成されたビード部２７に、パチンと嵌まる円筒状スカート２２によって下向きに延びている。上側要素１４ｂは、側壁２０の上縁部に支えられる突条１８も有する。突条３５は突条１８から下向きに延び、その半径方向外側が側壁２８に押し当てられる。
【００４９】
突条１８は、例えば、ヒートシールまたは接着剤によって突条１８に固定されるスクリーン１９を支持する。
【００５０】
スカート２２の外側は、周囲に軸線方向の突条２４が設けられているスカート３６を含み、カップ１４を受け入れる本体１１の支持枠の壁３７と摩擦係合しているエラストマのガスケット２３に囲まれている。
【００５１】
ガスケット２３の上部は、ケースが閉じているときに耐漏洩式にカップ１４の内側に収容されている物質Ｐを外側から隔離するように蓋１２を支える環状部２５を有する。
【００５２】
蓋１２は、ケースを閉じたときにパウダーパフ３０の上方に配置される鏡３１を収容する。弾性のタブ３３が蓋１２に、閉じた位置のときにケースの本体１１にパチンと嵌まるように設けられている。
【００５３】
本発明の第一の実施例において、カップ１４の内部で遊離している物質Ｐは、パウダーパフ３０の中に収容されている固形物の永久磁石４１によって生成される磁場の影響下でスクリーン１９の網目を通り抜けない十分なサイズの磁化粒子４０と混合されている。
【００５４】
前述の実施例では、この永久磁石４１は硬質で、希土類元素（rare earths）から作られるが、変形例において、任意の別のタイプの磁石、詳細には、可撓性の磁石、複数の硬質または可撓性の磁石、または図４に示されるように実際にパウダーパフの中に分散させた磁性粒子４２のセットと交換することも可能である。これらの粒子４２は、最初から磁気を帯びていてもよいし、パウダーパフ内の所定の位置に収められた後に磁化することもできる。
【００５５】
パウダーパフ３０によって生成される磁場は、物質内に存在する磁化粒子４０に作用するに足る強さの磁場である。図１の例では、パウダーパフ３０はケースが閉じているときはスクリーン１９の上方に位置し、収納中に磁化粒子４０の少なくとも一部がスクリーン１９の内面に引き付けられる。
【００５６】
粒子４０がパウダーパフ３０によって生成される磁場によって引き付けられると、粒子によって物質Ｐが粒子とともに持ち上げられる。したがって、パウダーパフ３０がスクリーン１９の上で動かされるとき、物質Ｐはスクリーンの位置にあり、ユーザが取り出すことができる。パウダーパフ３０がケースから離れると、図２に示されるように磁化粒子４０は落ちてカップ１４に戻る。
【００５７】
このように本発明により物質をカップ１４から取り出しやすくする簡素な方法が提供されることが理解されるであろう。
【００５８】
運搬中にできるだけ多くの磁化粒子４０を保持するために、また、例えば、磁化粒子４０のがたつきを防止するために、図３に示されているように、着脱可能な永久磁石５０をケースの底に当たるように配置することも可能であり、それによって磁化粒子４０がカップ１４の底部に押し付けられるようにする磁場が生成される。磁石５０によって生成される磁場は、パウダーパフ３０内の磁石４１によって生成される磁場より強いことが好ましい。
【００５９】
磁石５０が取り除かれると、パウダーパフ３０によって生成される磁場によって、磁化粒子４０をスクリーン１９に向かって浮上させ、それによって物質がスクリーン１９に向かって移動させることが可能となる。
【００６０】
磁化粒子４０を作るために、例えば鉄またはフェライトなどの磁性材料を使用することも可能であるし、あるいは、図２１および図２２に示されているように、例えばガラス製の中空の球体３６２を、小さい磁化粒子３６１でコーティングすることも可能であり、そのようにして得られた組立体はアクリル樹脂などの不活性材料３６３の層によって任意に被覆される。また、中空であるかどうかの如何にかかわらず、例えば、繊維（特に木質繊維）などの非磁性体３７０を磁化粒子３６１でコーティングすることも可能であり、そのようにして得られた組立体は、不活性樹脂３６３に任意で封入することもできる。
【００６１】
本発明は、物質中に混合された磁化粒子４０を使用することに限定されるものではなく、物質自体を磁場の作用に敏感にすることも可能である。これを行うために、例えば、図２３に示されるように、物質を磁性材料のグレイン３８０にコーティングすることも可能である。変形例において、または追加的に、磁場の作用に敏感な材料から成る微粒子を、該微粒子が物質に密着するように物質中に混合することも可能である。
【００６２】
図５記載のケースは、磁性粒子４０が物質中に混合されていない点が図１を参照しながら説明されたケースと異なっている。物質Ｐの粒子は、例えば、磁性材料のグレイン３８０を封入することによって、それ自体が磁化可能に作られている。磁性物質の粒子のサイズは、スクリーン１９を通り抜けることができるように十分に小さくなくてはならない。
【００６３】
図６に示されているように、また、前述の例のように、運搬中に物質をカップの底に押し付けられた状態に維持するため、ケースに着脱可能な永久磁石を取り付けることができる。
【００６４】
また、パウダーパフの永久磁石４１を、図７に示されるように、分散させた磁性粒子４２に代えることもできる。
【００６５】
例えば、前述のパウダーパフ３０など、物質のアプリケータとして作用する要素自体が磁気を帯びていない場合でさえも、物質が磁場の作用に敏感である利点は依然として存在する。
【００６６】
ケースの底部に密着する磁石を使用するだけで、特に、物質が粉末の場合に物質が飛散する傾向を制限するのに役立つ。
【００６７】
また、磁気可能に作製され、制限要素を通過できるように十分に小さいサイズの物質粒子を、スクリーンより大きなサイズで、制限要素によって容器内に留置される磁性材料の粒子と混合することも可能であり、制限要素は例えばスクリーンによって構成される。
【００６８】
本発明は、いずれか特定のタイプの容器に限定されるものではなく、物質は、任意に平坦なスクリーン以外の何かで構成された制限要素と一緒に、種々の入れ物に配置できる。
【００６９】
例として、図８に、磁化粒子４０と混合される物質Ｐを収容する容器６１を備える化粧装置６０を示す。容器６１は、軸線Ｘに沿って細長い形状をしている。容器６１の上部は、外側に向かってほぼ凹面形になっている、洗面器形のスクリーンに６９よって閉じられており、スクリーン６９の上部は円筒部６２に結合され、容器６１の口内に固定されている。この円筒部６２は、容器本体の上縁部に支えられた縁取り６３で終端している。スクリーン６９は、磁化粒子４０のサイズよりも小さいサイズの孔を有しているので、磁化粒子は容器６１内に留置される。
【００７０】
装置６０は、塗布要素６５（図示の例では柄要素も構成する閉鎖部材６６に固定される発泡体ブロックによって構成されている）を有する。閉鎖部材６６は、容器６１のねじ部６８にねじ込むのに適した、ねじ付き外スカート６７を備える。変形例において、塗布要素６５は、焼結要素または、少なくとも物質を表面に保持し、接触および／または摩擦によって化粧または処置される表面に移行させるのに適した、任意に多孔性で任意に変形可能な材料と代えることが可能である。特に塗布要素６５は複合構造物にすることも可能であり、例えばその表面にフロックを有することもできる。
【００７１】
図示の例では、塗布要素６５は、閉鎖部材６６が容器６１上の所定の位置にあるときに、容器６１内にある磁化粒子４０に作用する磁場を、自己の内部に生成するため磁性粒子７０を有する。磁化粒子に対する塗布要素６５の磁場の作用は、磁場が十分に強力である場合は容器が直立しているときに、或いは磁場がより弱い場合、容器が横向きまたは転倒しているときに限って、効力を奏し得る。
【００７２】
変形例（図示せず）において、塗布要素は、物質が塗布されているとき、または塗布要素に物質を再充填させるため、閉鎖部材から分離できる。塗布要素は、閉鎖部材から自立した要素で構成することもでき、それにより、特に閉鎖部材を容器に戻す必要なく塗布要素に物質を補充することが可能になる。
【００７３】
凹面形のスクリーンを使用する代わりに、図９に示されているように容器の首に取り付けられている支持部８１に固定させるスクリーン８０を使用することも可能である。例として、スクリーン８０は、支持部８１の環状の縁取り８２にヒートシールすることもできる。
【００７４】
制限要素として、図１０に示されるように、例えばスクリーン８０と、特に大きなサイズのオリフィス９１を有する有孔壁９０とを重ね合わせたものを含む複合構造物を使用することが可能である。
【００７５】
図１１に示されるように、発泡体ブロック９５と孔９７を有する有孔壁９６とを重ね合わせることによって、制限要素を形成することもできる。発泡体９５は、物質を通過させることができる程度に大きいサイズの連続気泡を有するように選択される。物質が、容器内に留置される必要がある磁化粒子４０と混合されるとき、孔９１のサイズは、粒子４０を通過させないように、選択されるべきである。ブロック９５内の気泡のサイズは、これらの粒子４０を通過させないように選択することも可能である。
【００７６】
図８の例において、塗布要素６５は磁性粒子４２を含有している。変形例において、図１２に示されるように、閉鎖部材６６は、容器内に存在する磁化粒子４０に作用し、および／または、物質自体が磁場の作用に感受性があるときに物質に作用する磁場を生成する永久磁石９８を有する。
【００７７】
図１３に、物質Ｐを収める容器１０１とアプリケータ１０２とを備える装置１００を示す。アプリケータは、塗布要素１０３と、容器１０１の閉鎖キャップも構成する柄部材１０４とを備える。容器１０１の上部は、閉鎖キャップ１０４がねじ込まれるねじ付きネック１０５を有する。塗布要素１０３は、比較的可撓性の軸部１０８によってキャップ１０４に連結される。図１３に示されている例では、物質Ｐは磁化粒子４０と混合される。
【００７８】
一般に手袋の指の形になっているスクリーンによって構成されている制限要素１１０が、ネック１０５に固定され、容器内側に容器高さの一部分にわたって延びている。図示の例では、制限要素１１０の内径は、塗布要素１０３の外径にほぼ一致している。塗布要素は、例えば磁石が組み込まれているために、磁気を帯びており、そのため、物質内に存在する磁化粒子４０を引き付ける傾向がある。したがって、物質は、容器内部から、制限要素の内側に位置する塗布要素へ、より容易に移動できる。磁化粒子４０は、磁化粒子４０が制限要素１１０の孔を通過しないように十分に大きい。変形例において、物質自体が磁化可能で、制限要素の孔を通過である。
【００７９】
図１４に、容器１４１のネック１４０にねじ込まれる閉鎖キャップ１３３に軸部１３２を介して結合されている、例えば前述の塗布要素１０３と同一の磁気塗布要素１３１を有するアプリケータ１３０を備える装置１２０を示す。容器は、アプリケータが無いときにほぼ閉じた状態で停止する通路を有する、ぬぐい取り部として作用する発泡体ブロック１４２を収容する。ブロック１４２は、本発明の意味の制限要素を構成するブロック１４２は、ロッド１３２が無いときに開いたままにすることも可能である。物質Ｐは磁化され、磁場の影響下で塗布要素１３１にくっつく傾向がある。ブロック１４２は、アプリケータが引っ込められるときに、余分な物質を取り去るのに役立つ。生成された磁場によって塗布要素１３１が物質Ｐを引き付けることにより、特に容器１４１内部に少量の物質しか残っていないとき、容器内部の物質を分散させるように容器を振ることにより、物質をより容易に塗布要素に充填させられることが理解されるであろう。塗布要素１３１の近傍を通過すると、物質は塗布要素１３１によって生成された磁場に捉えられる。
【００８０】
前述のように、塗布要素が磁気的性質を有しないこと、および化粧装置が塗布要素以外の磁石要素を含むことは本発明の範囲内である。
【００８１】
特に、装置は磁気を帯びている制限要素を有する。
【００８２】
このように、変更実施例において、図７記載のパウダーパフは非磁性であり、スクリーンだけが磁気を帯びている。次にスクリーンはある量の磁性物質を引き付けて接し、スクリーンによってこのように保持された物質は、スクリーンの上を拭うことによって塗布要素に取ることができる。
【００８３】
制限要素が磁気を帯びている場合、塗布要素も磁気を帯びる可能性があり、特に、塗布要素は、スクリーンによってかけられている磁場よりも強い磁場を、物質にかけることが可能となり、したがって塗布要素から受ける磁場の効果を活かすことによって物質をスクリーンから取る。
【００８４】
図１〜１４を参照して説明した各例では、制限要素は物質を透過でき、容器に対して静止している。
【００８５】
次に、容器の内側から取られた物質を、外側に向かって、すなわち塗布要素に向かって搬送するのに適した実施例を説明する。
【００８６】
図１５と図１６に、詳細を参照できる米国特許第5,401,113号で知られる一般的な構造の装置２００を示す。
【００８７】
装置は、容器２１０と、容器２１０に固定された支持部片２１１によって支えられる回転ディスク２０１とを備える。ディスク２０１の底部領域２０２は、容器２１０の内側に向かって開いている、支持部片２１１内のハウジング２０３を貫通している。ディスクの上部領域２０４は、支持部片２１１の上に突出し、物質を移行させることによって塗布するのに役立つ。
【００８８】
ディスク２０１は、ユーザが軸線方向の両端部を外側から触ることができ、ゆえにユーザが、ディスクを回転させることができる、ハブ２１２に固定されている。
【００８９】
装置２００は、例えば、回転部材２０１に吸着された磁化粒子が物質Ｐ搬送して、物質Ｐと回転部材を接触させるように、物質Ｐが磁化粒子４０と混合されているため、内部に磁性粒子４２が存在しているといった理由により、ディスク２０１が磁気を帯びている点が、上に引用した米国特許と異なる。磁化粒子４０は、ディスク２０１と支持部片２０５との間に存在する小さな間隙に詰まらないようなサイズのものであり、したがって、ディスク２０１の回転中に容器２１０に落ちて戻る。変形例において、物質Ｐは磁性であり、ディスク２０１に引き付けられる。ディスク２０１によって物質Ｐにかけられる磁場は、物質を摩擦によって処置面に移行させることができる程度に弱い。
【００９０】
図１７に、米国特許第5,836,320号で知られる一般構造の変更実施例を示す。
【００９１】
図１７記載の装置３００は、その上部に回転式リミッタ素子３０８を備えた容器３０１を有する。この回転式リミッタ素子３０８は、容器内から取られた物質を、容器に回転可能に固定され且つ柄要素３０６に固定されている塗布要素３０５と接するように移動させる。
【００９２】
柄要素３０６が引っ込められると、制限要素３０８は物質Ｐが容器３０１から出ないようにする。
【００９３】
図１７記載の装置は、制限要素３０８が磁気を帯びていることと、例えば物質でコーティングされた磁化粒子から少なくとも部分的に構成されているので物質Ｐが磁性であることが上に引用した米国特許と異なっている。
【００９４】
制限要素３０８が磁気を帯びていることにより、摩擦および／または接触圧力によって移行させる物質を塗布要素へ充填しやすくなる。
【００９５】
図１５および図１６を観察すると、制限要素が物質を塗布するための要素として働くことが、本発明の範囲内であることが理解されるであろう。
【００９６】
図１８に、例えば物質を透過できる材料から成るブロックで構成されている制限要素３５２を一端に備えた、可撓性の管の形の容器３５１を備える装置３５０を示す。
【００９７】
例として、制限要素は外側が図示のようにドーム形で、物質を直接塗布するのに役立つ。制限要素は、例えば、焼結要素または発泡体として構成できる。
【００９８】
管３５１内にある物質は磁化可能であり、場合によっては内部圧力を生じさせるために容器３５１の壁が圧迫されているときに、制限要素３５２の孔を通ることができる。
【００９９】
制限要素３５２が磁気を帯びると、容器３５１内で接触状態になる確実な量の物質を有し、そして／または、容器３５１を振ると容易に物質が補充される傾向が永久にある。
【０１００】
容器３５１は、図示のように通常の閉鎖部材３５３で閉じることができる。変形例において、図１９に示されるように、閉鎖部材は、容器内部または必ずしも磁気を帯びている必要の無い制限要素３５２内に収容されている物質に、作用する永久磁石３５５を収容できる。
【０１０１】
制限要素３５２に磁気を帯びさせるために、磁性粒子３６０を内部に組み込むことも可能であるし、または、例えば図２０に示されるように、例えば噴霧によって磁性粒子３６０を内面に付着させることも可能である。
【０１０２】
当然ながら、本発明は前述の実施例に限定されるものではない。
【０１０３】
特に、異なる実施例に属する特性を互いに組み合わせることも可能である。
【図面の簡単な説明】
【図１】蓋を閉じた状態で示されている、本発明の実施例を構成する化粧ケースの軸戦方向の概略断面図。
【図２】パウダーパフを取り出した後の蓋を開けた状態のケースを示す、図１と同様の図。
【図３】ケースの底に着脱可能な磁石が取り付けた変形例を示す、図１と同様の図。
【図４】パウダーパフが磁性粒子を含む変形例を示す、図３と同様の図。
【図５】物質が磁場の作用に敏感な変形例を示す、図１と同様の図。
【図６】ケースの底に着脱可能な磁石を取り付けた変形例を示す、図５と同様の図。
【図７】パウダーパフが磁性粒子を含む変形例を示す、図５と同様の図。
【図８】容器の閉鎖部材に固定された塗布要素を有する、本発明の別の実施例を構成する容器の軸線方向の概略断面図。
【図９】図８の実施例と制限部材が異なっている変形例の軸線方向の概略断面図。
【図１０】制限部材の実施例の変形例を分離して示す軸線方向の概略断面図。
【図１１】制限部材の実施例の変形例を分離して示す軸線方向の概略断面図。
【図１２】図８の塗布要素の変更実施例を分離して示す図。
【図１３】制限要素が手袋の指の形になっている本発明の別の実施例の軸線方向の概略断面図。
【図１４】本発明の別の実施例の軸線方向の概略断面図。
【図１５】回転式の制限部材を有する本発明の変更実施例の軸線方向の概略断面図。
【図１６】図１５のラインＸＶＩ−ＸＶＩに沿った概略断面図。
【図１７】回転式制限部材の別の変形例。
【図１８】塗布要素が制限要素としても作用する、本発明の別の実施例を示した概略図。
【図１９】容器の閉鎖部材が磁石である変形例の図。
【図２０】片面に磁性粒子が散布され、本発明による装置を作るのに使用できる多孔体の概略部分図。
【図２１】物質と混合するのに適した磁化粒子の図。
【図２２】物質と混合するのに適した磁化粒子の図。
【図２３】磁場の作用に敏感な塗布用物質の粒子の図。
【符号の説明】
１０    化粧ケース
１１    本体
１２    蓋
１３    突条
１４    カップ
１４ａ  カップの下側要素
１４ｂ  カップの上側要素
１５    上側要素の環状壁
１６    底壁
１７    側壁
１８    突条
１９    スクリーン
２１    突条
２３    ガスケット
２４    軸線方向の突条
２２    スカート
２３    ガスケットの上部
２５    環状部
２７    ビード部
３０    パウダーパフ
３１    鏡
３３    タブ
３５    突条
３６    スカート
３６    スカート
３７    支持枠の壁
４０    磁化粒子
４１    永久磁石
４２    磁性粒子
５０    永久磁石
６０    化粧装置
６１    容器
６２    円筒部
６３    縁取り
６４    孔
６５    塗布要素
６６    閉鎖部材
６７    ねじ付き外スカート
６８    ねじ部
６９    スクリーン
７０    磁性粒子
８０    スクリーン
８１    支持部
８２    縁取り
９１    オリフィス
９５    発泡体ブロック
９６    有孔壁
９７    孔
９８    永久磁石
１００  装置
１０１  容器
１０２  アプリケータ
１０３  塗布要素
１０４  柄部材／閉鎖部材
１０５  ネック
１０８  軸部
１１０  制限要素
１２０  装置
１３０  アプリケータ
１３１  磁気塗布要素
１３２  軸部／ロッド
１３３  閉鎖キャップ
１４０  ネック
１４１  容器
１４２  ブロック
２００  装置
２０１  回転ディスク
２０２  底部領域
２０３  ハウジング
２０４  上部領域
２０５  支持部片
２１０  容器
２１１  支持部片
２１２  ハブ
３００  装置
３０１  容器
３０５  塗布要素
３０６  柄要素
３０８  制限要素
３５０  装置
３５１  容器／管
３５２  制限要素
３５３  閉鎖部材
３６０  磁性粒子
３６１  磁化粒子
３６２  中空の球体
３６３  不活性樹脂
３７０  非磁性体
３８０  磁性材料のグレイン
Ｐ      塗布される物質。
【図１】
0003924493.tif 000002
【図２】
0003924493.tif 000003
【図３】
0003924493.tif 000004
【図４】
0003924493.tif 000005
【図５】
0003924493.tif 000006
【図６】
0003924493.tif 000007
【図７】
0003924493.tif 000008
【図８】
0003924493.tif 000009
【図９】
0003924493.tif 000010
【図１０】
0003924493.tif 000011
【図１１】
0003924493.tif 000012
【図１２】
0003924493.tif 000013
【図１３】
0003924493.tif 000014
【図１４】
0003924493.tif 000015
【図１５】
0003924493.tif 000016
【図１６】
0003924493.tif 000017
【図１７】
0003924493.tif 000018
【図１８】
0003924493.tif 000019
【図１９】
0003924493.tif 000020
【図２０】
0003924493.tif 000021
【図２１】
0003924493.tif 000022
【図２２】
0003924493.tif 000023
【図２３】
0003924493.tif 000024